(57)【特許請求の範囲】
【請求項１】
ネットワークに接続してデータの送受信を行うデータ送受信装置であって、
送信された前記データを受信する受信部と、
前記データを記憶する記憶部と、
前記データの情報を解析する解析部と、
前記解析された情報に基づき前記データを分類するソート部と、
前記分類されたデータを印刷出力する印刷出力部と、
前記データ送受信装置の動作を制御する制御部と、
を備え、
前記制御部は、データ送受信装置が電源オンされてウォームアップが完了した後に第１の所定時間が経過した時に、前記解析部、前記ソート部、及び前記印刷出力部への電力供給を停止する省電力モードに設定した後、前記記憶部に記憶したデータの受信量が所定量に達したら省電力モードから通常モードにして前記解析部、前記ソート部、及び前記印刷出力部を作動させて、前記解析部が解析した受信データに含まれる情報に基づき前記ソート部が前記データを分類し、前記印刷出力部が分類されたデータを一括印刷して出力し、前記印刷出力部が一括印刷して出力した後、第２の所定時間が経過した後に再び前記省電力モードに設定し、その後、前記記憶部に記憶したデータの受信量が前記所定量に達したら、前記と同様の、省電力モードから通常モードにしてから一括印刷して出力するまでの処理を繰り返すことを特徴とするデータ送受信装置。
【請求項２】
前記解析された情報に応じて前記ソート部によって分類された前記データを表示する操作表示部を備えることを特徴とする請求項１に記載のデータ送受信装置。
【請求項３】
前記ソート部は、受信した前記データの送信元に基づき前記データを分類し、
前記印刷出力部は、一括印刷して出力することを特徴とする請求項１又は２に記載のデータ送受信装置。
【請求項４】
前記ソート部は、前記データを送受信する際に用いる回線の種別に基づき前記データを分類し、
前記印刷出力部は、一括印刷して出力することを特徴とする請求項１から３のいずれか１項に記載のデータ送受信装置。
【請求項５】
ネットワークに接続してデータの送受信を行い、前記受信データを記憶部に記憶して分類し印刷して出力するデータ送受信装置のデータ印字ソート方法であって、
送信された前記データを受信する受信ステップと、
前記データを記憶部に記憶する記憶ステップと、
前記データの情報を解析する解析ステップと、
前記解析された情報に基づき前記データを分類するソートステップと、
前記分類されたデータを印刷出力する印刷出力ステップと、
前記ソートステップにおいて分類された前記データを表示する操作表示ステップと、
を備え、
データ送受信装置が電源オンされてウォームアップが完了した後に第１の所定時間が経過した時に、前記解析ステップ、前記ソートステップ、及び前記印刷出力ステップのための電力供給を停止する省電力モードに設定した後、前記記憶ステップにて記憶した受信データの受信量が所定量に達したら省電力モードから通常モードにして、前記解析ステップ、前記ソートステップ、及び前記印刷出力ステップを開始する制御ステップとを含み、
前記ソートステップにおいて、前記解析ステップにて解析した受信データに含まれる情報に基づき前記データが分類され、前記印刷出力ステップにおいて、分類されたデータが一括印刷して出力され、
前記印刷出力ステップにおいて、前記一括印刷して出力された後、第２の所定時間が経過後に再び前記省電力モードに設定し、その後、前記記憶部に記憶したデータの受信量が前記所定量に達したら、前記と同様の、省電力モードから通常モードにしてから一括印刷して出力するまでの処理を繰り返すように制御する制御ステップを備えることを特徴とするデータ印字ソート方法。
【発明の詳細な説明】
【技術分野】
【０００１】
本発明は、複写機やプリンタ、ファクシミリ等の電子写真方式のデータ送受信装置及びデータ印字ソート方法を提供する。
に関する。
【背景技術】
【０００２】
従来のファクシミリ端末やファクシミリ複合機において、消費される電力を抑制する制御が行われる。例えば、未使用時には、待機モードから消費電力モードへ切り替えを行い電力を消費しないような制御が行われている。
【０００３】
一般に、ファクシミリ端末における、データの送受信が行われる動作状態と未使用時（非稼働状態）の待機状態とを比較すると、稼働していない待機状態の時間が、実際に稼働している動作状態の時間よりも長いことが常である。従って、動作状態に入る際に電力を供給するような構成をとることで消費電力を抑制することが行われている。
【０００４】
そこで、消費電力を抑制するため、特許文献１では、内部のデータ蓄積メモリに格納された受信データが所定量に達した場合に印字出力動作を行い消費電力を抑制する技術が提案されている。
【０００５】
また、特許文献２では、印字停止時間帯にメモリに保存された受信データが、該印字停止時間帯に印刷が完了するように、まとめて印刷出力し消費電力を抑制する技術が提案されている。
【０００６】
また、特許文献３では、複数の出力ソーダビン毎に送信元識別情報を対応付けて、受信したＦＡＸデータの送信元に対応する出力先ソーダビンへ排出を行う技術が提案されている。
【先行技術文献】
【特許文献】
【０００７】
【特許文献１】特開平１１−５５４３７号
【特許文献２】特開２００３−１７７８９５号
【特許文献３】特開平１０−１３６０９号
【発明の概要】
【発明が解決しようとする課題】
【０００８】
しかしながら、送信されたデータを受信する毎に、本体を省電力状態から待機状態に切り替えて受信データの印字出力を行う構成では、本体をウォームアップさせる、つまり待機状態にさせるために余分な電力を要する。特許文献１及び２では、送信されたデータを受信順に仕分けを行い印字出力するか、或いは受信データを特定の送信先に基づいて仕分けを行い印字出力するだけで、複数量の受信データを一括して出力した際の仕分け作業の効率化に関しては考慮されておらず、これに伴い電力が多大に消費されるという課題がある。
【０００９】
また、特許文献では、高価なソータ装置や受信データを仕分けるための制御装置が必要となり、データ送受信装置の生産コストの上昇や装置本体のサイズが大きくなるという課題がある。
【００１０】
本発明は、上述のごとき実情に鑑みてなれたもので、送信されたデータを受信し内部メモリに保存して、受信データの情報に基づきソートを行い印字出力し、複数量の受信データを一括して出力した際の仕分け作業の効率化を図り、電力の消費を抑制するデータ送受信装置及びデータ印字ソート方法を提供することを目的とするものである。
【課題を解決するための手段】
【００１１】
上述した課題を解決するために本発明に係るデータ送受信装置の各構成は、次の通りである。
【００１２】
本発明のデータ送受信装置は、ネットワークに接続してデータの送受信を行うデータ送受信装置であって、送信された前記データを受信する受信部と、前記データを記憶する記憶部と、前記データの情報を解析する解析部と、前記解析された情報に基づき前記データを分類するソート部と、前記分類されたデータを印刷出力する印刷出力部と、前記データ送受信装置の動作を制御する制御部と、を備え、前記制御部は、第１の所定の時間が経過した後は省電力モードに設定し、前記記憶部に記憶したデータの受信量が所定量に達したら省電力モードから通常モードにして前記解析部、前記ソート部、及び前記印刷出力部を作動させて、前記解析部が解析した受信データに含まれる情報に基づき前記ソート部が前記データを分類し、前記印刷出力部が分類されたデータを一括印刷して出力し、前記印刷出力部が一括印刷して出力した後、第２の所定の時間後に省電力モードに設定することを特徴とするものである。 
【００１３】
また、本発明のデータ送受信装置は、前記解析された情報に応じて前記ソート部によって分類された前記データを表示する操作表示部を備えることを特徴とするものである。
【００１４】
また、本発明のデータ送受信装置において、前記制御部は、所定の時間後に省電力モードに設定し、前記データの受信量が所定量に達した際に、一括印字出力するように前記印刷出力部を制御することを特徴とするものである。
【００１５】
前記ソート部は、受信した前記データの送信元又は受信した回線の種別に基づき前記データを分類し、前記印刷出力部は一括印刷して出力することを特徴とするものである。
【００１６】
また、上述した課題を解決するために、本発明に係るソートデータ印字ソート方法の各ステップは、次の通りである。
【００１７】
本発明のデータ印字ソート方法は、ネットワークに接続してデータの送受信を行い、前記データを分類し出力するソートデータ印字ソート方法であって、送信された前記データを受信する受信ステップと、前記データを記憶する記憶ステップと、前記データの情報を解析する解析ステップと、前記解析された情報に基づき前記データを分類するソートステップと、前記分類されたデータを印刷出力する印刷出力ステップと、前記ソートステップにおいて分類された前記データを表示する操作表示ステップと、を備え、第１の所定の時間が経過した後は省電力モードに設定し、前記記憶ステップにて記憶したデータの受信量が所定量に達したら省電力モードから通常モードにして前記解析ステップ、ソートステップ、及び印刷出力ステップを開始する制御ステップとを含み、前記ソートステップにおいて、前記解析ステップにて解析した受信データに含まれる情報に基づき前記データが分類され、前記印刷出力ステップにおいて、分類されたデータが一括印刷して出力され、
前記印刷出力ステップにおいて、前記一括印刷して出力された後に、第２の所定の時間後に省電力モードに設定するように制御する制御ステップを備えることを特徴とするものである。
【００１８】
また、本発明のソートデータ印字ソート方法は、所定の時間後に省電力モードに設定し、前記データの受信量が所定量に達した際に、一括印字出力するように前記印刷出力ステップを制御する制御ステップを備えることを特徴とするものである。
【発明の効果】
【００１９】
本発明によれば、データ送受信装置は、ネットワークに接続してデータの送受信を行うデータ送受信装置であって、送信された前記データを受信する受信部と、前記データを記憶する記憶部と、前記データの情報を解析する解析部と、前記解析された情報に基づき前記データを分類するソート部と、前記分類されたデータを印刷出力する印刷出力部と、データ送受信装置の動作を制御する制御部と、を備え、前記ソート部は、受信したデータに含まれる情報に基づき前記データを分類し、前記印刷出力部は一括印刷して出力することで、ユーザーが設定した印字出力の条件に従って出力されるため、仕分け作業の必要性を不要にし、印字出力後の作業効率を向上することができるという優れた効果を奏し得る。
【００２０】
本発明によれば、データ送受信装置は、前記解析された情報に応じて前記ソート部によって分類された前記データを表示する操作表示部を備えることで、印字出力される順序が確認でき作業効率が向上するという優れた効果を奏し得る。
【００２１】
本発明によれば、前記制御部は、所定の時間後に省電力モードに設定し、前記データの受信量が所定量に達した際に、一括印字出力するように前記印刷出力部を制御することで、受信した画像データを一旦メモリに記憶させて、所定の受信量に基づき画像データを蓄積し、画像データを分類して一括印字出力するため、画像データを受信する毎にデータ送受信装置を動作モード起動することを防ぐことができ、そのため電力消費を抑制することができるという優れた効果を奏し得る。
【００２２】
本発明によれば、前記ソート部は、受信した前記データの送信元又は受信した回線の種別に基づき前記データを分類し、前記印刷出力部は一括印刷して出力することで、ユーザーの所望する印字出力条件に基づいて一括印字出力することができるので、消費電力を抑制すると同時に仕分け作業の必要性を不要にし、印字出力後の作業効率を向上することができるという優れた効果を奏し得る。
【００２３】
本発明によれば、ソートデータ印字ソート方法は、ネットワークに接続してデータの送受信を行い、前記データを分類し出力するソートデータ印字ソート方法であって、送信された前記データを受信する受信ステップと、前記データを記憶する記憶ステップと、前記データの情報を解析する解析ステップと、前記解析された情報に基づき前記データを分類するソートステップと、前記分類されたデータを印刷出力する印刷出力ステップと、前記ソートステップにおいて分類された前記データを表示する操作表示ステップと、を備え、前記ソートステップにおいて、受信したデータに含まれる情報に基づき前記データが分類され、前記印刷出力ステップにおいて、前記分類されたデータが一括印刷して出力されることで、ユーザーが設定した印字出力の条件に従って出力されるため、仕分け作業の必要性を不要にし、印字出力後の作業効率を向上することができるという優れた効果を奏し得る。
【００２４】
本発明によれば、ソートデータ印字ソート方法は、所定の時間後に省電力モードに設定し、前記データの受信量が所定量に達した際に、一括印字出力するように前記印刷出力ステップを制御する制御ステップを備えることで、受信した画像データを一旦メモリに記憶させて、所定の受信量に基づき画像データを蓄積し、画像データを分類して一括印字出力するため、画像データを受信する毎にデータ送受信装置を動作モード起動することを防ぐことができ、電力消費を抑制することができるという優れた効果を奏し得る。
【図面の簡単な説明】
【００２５】
【図１】本実施形態に係るデータ送受信装置を備えるデータ送受信システムの構成を示す概略図である。
【図２】本実施形態に係るデータ送受信装置の構成を示す概略図である。
【図３】本実施形態に係るデータ送受信装置の操作表示部に表示された画面の一例である。
【図４】本実施形態に係るデータ送受信装置の操作表示部に表示される受信データの一例である。
【図５】本実施形態に係るデータ送受信装置の操作表示部に表示される受信データを示す一例である。
【図６】本実施形態に係るデータ送受信装置の操作表示部に表示される受信データを示す別の一例である。
【図７】本実施形態に係るデータ送受信装置におけるデータ印字ソート方法の前半の処理を示すフローチャートである。
【図８】本実施形態に係るデータ送受信装置におけるデータ印字ソート方法の中盤の処理を示すフローチャートである。
【図９】本実施形態に係るデータ送受信装置におけるデータ印字ソート方法の後半の処理を示すフローチャートである。
【発明を実施するための形態】
【００２６】
次に、本発明の実施形態に係る受信データのデータ印字ソート方法を利用したデータ送受信装置１を説明する。
【００２７】
データ印字ソート方法を用いたデータ送受信装置１（１ａ、１ｂ、１ｃ、１ｄ、１ｅ）と、通信ネットワークＮ１、Ｎ２（インターネット及び公衆回線等）を介し、遠隔地の複数のデータ送信装置２０ａ、２０ｂ、２０ｃとの接続状態を示すデータ送受信システム１０００の構成を示す概略図である。図２は、本実施形態に係るデータ印字ソート方法を利用いたデータ送受信装置１の構成を示す概略図である。
【００２８】
データ送受信装置１は、図１に示すように、広域通信網である通信ネットワークＮ１、Ｎ２を介して、複数のデータ送信装置２０ａ、２０ｂ、２０ｃに接続されている。詳しくは後述するが、各データ送受信装置１は、データ送信装置２０（２０ａ、２０ｂ、２０ｃ）から送信されるデータを受信し記憶、所定の条件に基づいて出力するように構成されている。以下、データ送受信装置１の一例として、ファクシミリ機能を備えるデジタル複合装置を説明するが、これに限定されず、画像形成装置等の画像データを受信可能な機器に適応することができる。
【００２９】
データ送受信装置１は、図２に示すように、全体の動作を制御するＭＣＵ部（メインコントロールユニット）１０１、通信ネットワークＮ１、Ｎ２を介してデータ送信装置２０との間で画像データの送受信を行なうファクシミリ機能を実現するための制御を行うＦＡＸユニット１０２、送信された原稿のデータを読み取る原稿読取部１０３、タッチパネル式の操作表示部１０４、受信したデータを印刷し出力する印字出力部１３０、電源部１２３を備える。
【００３０】
以下に、データ送受信装置１の各構成要素（セクション）を順次説明する。
【００３１】
ＭＣＵ部１０１は、データ送受信装置１の全体の動作を制御する。ＭＣＵ部１０１は、図２に示すように、原稿読取部１０３、印字出力部１３０、操作表示部１０４、ＦＡＸユニット１０２、及び電源部１２３に接続されている。また、ＭＣＵ部１０１は、これらを制御してデータ送受信装置１としての一般的機能を実現するプログラムを実行するためのコントロール部６２、データ送受信装置１の主動作の制御に使用されるプログラム等を記憶するためのＲＯＭ（Ｒｅａｄ  Ｏｎｌｙ  Ｍｅｍｏｒｙ）６４、種々のプログラムや画像データの記憶領域を提供するためのＲＡＭ（Ｒａｎｄｏｍ  Ａｃｃｅｓｓ  Ｍｅｍｏｒｙ）６６、ＦＡＸユニット１０２によって他のファクシミリ装置から受信された画像データの圧縮及び符号化及び画像データの解析を行うための画像解析部１０８及び制御に必要なデータをバックアップして保持する不揮発性メモリ（図示せず）とを含む。
【００３２】
コントロール部６２は、データ送受信装置１の全体の制御を司るものであって、ＣＰＵ等から構成されている。
【００３３】
ＲＯＭ６４には、データ送受信装置１の動作を制御するのに必要なプログラム及びデータ等が記憶されている。コントロール部６２は、ＲＯＭ６４に格納されているプログラム及びデータに従ってデータ送受信装置１の制御を行なうと共にデータ送受信装置１の各機能に関する制御を実行する。
【００３４】
ＲＡＭ６６は、コントロール部６２による演算及び処理の結果を一時的に記憶するワーキングメモリとしての機能と、種々のカウント値、ＪＡＭ及びサービス・エラーの履歴情報、並びに消耗部品の情報等を記憶するバックアップメモリとしての機能と、画像データを記憶するフレームメモリとしての機能とを提供する。
【００３５】
画像解析部１０８は、他のファクシミリ装置から受信された画像データの圧縮及び符号化を行うほかに、画像データに含まれている情報を抽出し解析を行う。抽出及び解析された画像データの情報は、コントロール部６２に送られる。
【００３６】
操作表示部１０４は、図３に示すように、タッチパネル式操作表示部１１８、テンキー１１９、電源入力キー１２０、及び受信データ情報設定キー１２１を備える。タッチパネル式操作表示部１１８は、原稿読取部１０３で読み取った画像データやＦＡＸユニット１０２において受信された画像データ及びその情報を表示する。尚、該情報は、画像データの受信順Ｈ、送信元の情報Ｊ（送信装置の識別コード等）、使用された受信回線の種類情報Ｆ及び受信日時Ｋ等が含まれる。
【００３７】
テンキー７１は、主に数字入力を入力する場合に使用する。電源入力キー１２０は、データ送受信装置１の電源部１２３をユーザーによってオン・オフする場合に使用する。また、ユーザーは、受信データ情報設定キー１２１を使用し、ＦＡＸユニット１０２において受信された画像データの情報に基づく印字出力の条件を設定できる。
【００３８】
タッチパネル式操作表示部１１８に表示されている画面の一例として、図４に示すように、画像データの受信順Ｈ、送信元の情報Ｊ（送信装置の識別コード等）、使用された受信回線の種類情報Ｆ及び受信日時Ｋが表示される。
【００３９】
ユーザーによって各情報毎に印字出力する条件を予め設定し、選択された印字出力条件に基づいて印字出力される。ユーザーは、受信データ情報設定キー１２１を使用し、印字出力する条件を予め設定する。図５に示すタッチパネル式操作表示部１１８では、ユーザーによって、送信元の情報Ｊが選択され、送信元の情報Ｊに基づき、印字出力部１３０によって印字出力される受信データが表示されている。
【００４０】
尚、図５の印字順ラインＬで示されるように、画面上段左から画面上段右に順次印字され、さらに画面下段左から画面下段右で示される方向に印字順が設定されている。印字枚数が増えるに従って、印字順ラインＬで示される段も増え、画像データの情報を示す各サムネールＳは、縮小されて表示される。また、サムネールＳには、画像データの受信順Ｈ、送信元の情報Ｊ（送信装置の識別コード等）、使用された受信回線の種類情報Ｆ及び受信日時Ｋが表示される。
【００４１】
また、タッチパネル式操作表示部１１８に表示されている画面の別の一例として、図６に示すタッチパネル式操作表示部１１８では、ユーザーによって、送信元の情報Ｊ及び受信回線の種類情報Ｆが選択され、これらの情報に基づき、印字出力部１３０によって印字出力される受信データが表示されている。
【００４２】
印字出力部１３０は、ＭＵＣ部１０１の指示に基づいて、図示しない給紙部から供給される記録用紙に、画像処理部７６によって処理された画像データ画像を印刷する。
【００４３】
原稿読取部１０３は、データ送受信装置１の上部に配置され、原稿の画像を読み取る。また、原稿読取部１０３は、原稿画像を電気信号に変換して画像データとして取り込むためのＣＣＤ（Charged Couple Device)イメージセンサ（図示せず）、原稿の有無を検知する原稿読取センサ（図示せず）を備えている。画像処理部７６は、読み取った原稿画像を適正な電気信号に変換して各色の画像データを形成し、通信部８０及びフラッシュメモリ８２に伝達する。
【００４４】
電源部１２３は、コントロール部６２からの指示に基づいて、通常の動作モードから消費電力を制限する省電力モードへの移行時及び省電力モードから通常の動作モードへの移行時には、上述の原稿読取部１０３、印字出力部１３０、操作表示部１０４、ＭＣＵ１０１及びＦＡＸユニット１０２への電力の供給及び停止を行う。尚、省電力モード時には、電源部１２３は、通常、ＦＡＸユニット１０２及びコントロール部６２にだけ電力が供給されるように電力を供給する。
【００４５】
省電力モード時にＦＡＸユニット１０２が、ＦＡＸ（画像データ）を受信した場合、ＦＡＸコントロール部７２は、インターフェイス制御部７４を介してコントロール部６２と通信する。コントロール部６２は、電源部１２３に各部に電力を供給するように指示を伝達する。
【００４６】
ＦＡＸユニット１０２は、外部のデータ送信装置２０及び他のファクシミリ装置（図示せず）との通信インターフェイスをとして機能する通信部８０と、通信部８０の動作を制御するためのＮＣＵ（Ｎｅｔｗｏｒｋ  Ｃｏｎｔｒｏｌ  Ｕｎｉｔ）７８と、ＭＣＵ部１０１のコントロール部６２とインターフェイスをとっているインターフェイス制御部７４（ＩＦ制御部）と、通信ネットワークＮ１、Ｎ２を介して他のファクシミリ装置（図示せず）に送信する画像を圧縮及び符号化し、外部のデータ送信装置２０及び他のファクシミリ装置から受信した画像を復元化及び伸張するための画像処理部７６と、外部のデータ送信装置２０及び他のファクシミリ装置から受信した画像を記憶するためのフラッシュメモリ８２とを含む。
【００４７】
ＦＡＸユニット１０２はさらに、ファクシミリ機能を実現するためのＦＡＸコントロール部７２、ＦＡＸコントロール部７２の機能を実現するプログラム等を記憶するためのＲＯＭ８６、ＦＡＸユニット１０２で実行される種々のプログラムの記憶領域を提供するためのＲＡＭ８４とを含む。尚、ＦＡＸユニット１０２は、通信ネットワークＮ１、Ｎ２を介してデータ送信装置２０から送信された画像データを受信しハードディスク（図示せず）記憶させる構成としてもよい。
【００４８】
尚、ＮＣＵ７８、インターフェイス制御部７４、画像処理部７６、フラッシュメモリ８２、ＦＡＸコントロール部７２、ＲＯＭ８８及びＲＡＭ８４に対する制御はコントロール部６２により行なわれる。
【００４９】
内部給紙ユニット（図示せず）は、画像形成に使用する記録用紙を収納するための給紙トレイ（図示せず）を備え、複数の記録用紙が配置される。給紙トレイは、データ送受信装置１の仕様により規定されたサイズ、または利用者が予め定めたサイズの記録用紙を大量に収納することが可能な構成をとる。また、データ送受信装置１の上面には、排紙トレイ（図示せず）が設けられ、印刷済みの記録用紙がフェイスダウンで排出されて積載されるようになっている。
【００５０】
次に、図７〜図９を参照して、データ送受信装置１におけるデータ印字ソート方法を説明する。図７〜図９は、データ送受信装置１におけるデータ印字ソート方法を示すフローチャートである。
【００５１】
ユーザーによってデータ送受信装置１が起動された場合（ステップ１０）、データ送受信装置１は、データ送受信装置１として一般的な機能を実現する各種プログラムを起動し（ステップ２０）、ウォームアップが完了するまで待機する（ステップ３０）。データ送受信装置１は、ウォームアップが完了すると、操作画面を操作表示部１０４に表示する（ステップ４０）。
【００５２】
ユーザーによって受信データ情報設定キー１２１が操作され、入力されたデータ送受信装置１の印字出力の条件がフラッシュメモリ８２に記憶される（ステップ５０）。図示しない内部タイマが所定の時間（第１の所定時間）をカウントし、所定のカウント値に達したか否かがコントロール部６２によって監視される。
【００５３】
内部タイマが所定の時間（第１の所定時間）に達した場合（ステップ６０，Ｙ）、コントロール部６２が、ＦＡＸユニット１０２及びコントロール部６２以外の各セクションに対して電力の供給を停止するように電源部１２３に指示を送り、省電力モードに入る（ステップ７０）。
【００５４】
さらに、外部のデータ送信装置２０及び他のファクシミリ装置（図示せず）から画像データ（ＦＡＸデータ）を受信した場合（ステップ８０、Ｙ）、画像データはフラッシュメモリ８２に記憶されて蓄積される。さらに蓄積された受信データの量が、予め設定された所定量に達しているか否かがコントロール部６２によって判定される（ステップ９０）。
【００５５】
コントロール部６２が予め設定された所定量に達していると判断した場合（ステップ９０，Ｙ）、コントロール部６２は、電源部１２３に各セクションに対して電力を送るように指示を送る（ステップ１２０）。一方、コントロール部６２が予め設定された所定量に達していないと判断した場合（ステップ９０、Ｎ）、蓄積する受信データ量が所定量になるまで、電源部１２３に待機指示を送り、受信する画像データを蓄積する（ステップ１００）。
【００５６】
再度、コントロール部６２が予め設定された所定量に達していると判断した場合（ステップ１１０、Ｙ）、コントロール部６２は、電源部１２３に各セクションに対して電力を送るように指示を送り（ステップ１２０）、データ送受信装置１は、通常動作モードになる（ステップ１３０）。
【００５７】
画像処理部７６によって受信したデータの処理が行われ（ステップ１４０）、画像解析部１０８によって受信した各画像データの情報が抽出及び解析される（ステップ１５０）。
【００５８】
操作表示部１０４は、予め設定された印字出力の設定に基づき、各画像データにおける情報、すなわち、画像データの受信順Ｈ、送信元の情報Ｊ（送信装置の識別コード）、使用された受信回線の種類情報Ｆ及び受信日時Ｋを表示する（ステップ１６０）。
【００５９】
印字出力部１３０は、操作表示部１０４に表示されたソート（分類）順に一括印字出力を行う（ステップ１７０）。
【００６０】
図示しない内部タイマが所定の時間（第２の所定時間）をカウントし（ステップ１８０）、所定のカウント値に達したか否かがコントロール部６２によって監視される。
【００６１】
内部タイマが所定の時間（第２の所定時間）に達した場合（ステップ１８０，Ｙ）、コントロール部６２が、ＦＡＸユニット１０２及びコントロール部６２以外の各セクションに対して電力の供給を停止するように電源部１２３に指示を送り、省電力モードに入る（ステップ１９０）。
【００６２】
さらに、省電力モード中において、コントロール部６２は、受信データの量が所定値に達していないか監視する。尚、受信した画像データの量が所定値に達した場合に発生するトリガー信号を絶えず監視する構成とする。
【００６３】
以上の説明から明らかなように、本実施の形態に係るデータ送受信装置１では、省電力モード時に、コントロール部６２及びＦＡＸユニット１０２以外への電力の供給がオフされる。従って、省電力モード時での電力の消費をできるだけ少なくすることができる。さらに、受信した画像データを一旦メモリに記憶させて、所定の条件に基づき画像データを蓄積し、画像データを分類して一括印字出力するため、画像データを受信する毎にデータ送受信装置１を動作モード起動することを防ぐことができ、電力消費を抑制することができる。また、ユーザーが設定した印字出力の条件に従って出力されるため、仕分け作業の必要性を不要にし、印字出力後の作業効率を向上することができる。
【符号の説明】
【００６４】
１（１ａ、１ｂ、１ｃ、１ｄ、１ｅ）  データ送受信装置
２０  データ送信装置
６２  コントロール部
７２  ＦＡＸコントロール部
７４  インターフェイス制御部
７６  画像処理部
８０  通信部
８２  フラッシュメモリ
１０１  ＭＣＵ部
１０２  ＦＡＸユニット
１０３  原稿読取部
１０４  操作表示部
１０８  画像解析部
１１８  タッチパネル式操作表示部
１１９  テンキー
１２０  電源入力キー
１２１  受信データ情報設定キー
１２３  電源部
１３０  印字出力部
Ｎ１、Ｎ２  通信ネットワーク
【図１】
0005905237.tif 000002
【図２】
0005905237.tif 000003
【図３】
0005905237.tif 000004
【図４】
0005905237.tif 000005
【図５】
0005905237.tif 000006
【図６】
0005905237.tif 000007
【図７】
0005905237.tif 000008
【図８】
0005905237.tif 000009
【図９】
0005905237.tif 000010